(57)【要約】【課題】低温火傷を負いにくくし、それでいて十分な治療のために十分な温熱刺激を得ることのできる電気温熱式治療器を提供する。【解決手段】低周波群パルスを電極２２ａ、２２ｂより生体に通電して低周波治療中に、温熱スイッチ１８を操作すると、ヒータ２３ａ、２３ｂに４０秒間通電して急加熱速度で導子２１ａ、２１ｂを所定温度まで上昇させ、その後、ヒータ２３ａ、２３ｂの通電をＯＦＦして、低周波群パルスの電極２２ａ、２２ｂへの印加による低周波治療を実行し、続くその後は、治療開始から１５分が経過するまで、３０秒間のヒータ２３ａ、２３ｂへの通電による温熱治療と６０秒間の電極２２ａ、２２ｂへの低周波群パルス印加による電気治療を交互に繰り返す。【選択図】      図７
2004173750.tif 000002
【特許請求の範囲】
【請求項１】
通電により発熱する素子を備えた導子を生体局部に配置し、前記素子に通電することにより、生体に刺激を与える電気温熱式治療器において、
所定温度まで急速に加熱し、その後温熱治療を継続するように、前記素子への通電を制御する通電制御手段を備えたことを特徴とする電気温熱式治療器。
【請求項２】
前記通電制御手段は、前記素子への急速加熱の後に、急速な放熱を行う通電制御を行うことを特徴とする請求項１記載の電気温熱式治療器。
【請求項３】
前記加熱速度は、１°Ｃ／１５秒〜１°Ｃ／０．５秒に設定することを特徴とする請求項１又は請求項２記載の電気温熱式治療器。
【請求項４】
前記通電制御手段は、前記急速加熱と放熱とを複数回にわたり繰り返すように通電制御することを特徴とする請求項２又は請求項３記載の電気温熱式治療器。
【請求項５】
前記急速加熱と放熱の繰り返しのステップにより、加熱到達温度に変化を持たせるように制御することを特徴とする請求項４記載の電気温熱式治療器。
【請求項６】
前記急速加熱と放熱の繰り返しのステップにより、加熱及びもしくは放熱時間に変化を持たせるように制御することを特徴とする請求項４記載の電気温熱式治療器。
【請求項７】
前記素子は発熱とともに冷却機能も有し、前記加熱後の放熱は、冷却を含むものであることを特徴とする請求項２、請求項３、請求項４、請求項５又は請求項６記載の電気温熱式治療器。
【発明の詳細な説明】
【０００１】
【発明の属する技術分野】
この発明は、ヒータ等の素子に通電して生体の局部を加熱して刺激を与える電気温熱式治療器に関する。
【０００２】
【従来の技術】
ヒータ等の素子に通電して治療を行う電気温熱式治療器には、発熱素子先端部をつぼに密着させ、プッシュ式スイッチを押し通電すると、薄膜抵抗体が瞬時に発熱して保護膜を介して、つぼを熱する電気温灸器（例えば、特許文献１参照）や、治療電流発生回路からの治療電流を導子の電極を通して生体に流し、低周波治療う行うとともに、温熱スイッチを操作すると、前記電極を加熱するヒータに通電して、一定時間連続的に加熱して、温熱治療を行うようにした温熱式電気治療がある（例えば、特許文献２参照）。
【０００３】
【特許文献１】
登録実用新案公報第３０４７０９６号
【０００４】
【特許文献２】
特開平５−２７７１９４号公報
【０００５】
【発明が解決しようとする課題】
上記した特許文献１に記載のような従来の電気温灸器では、プッシュボタンを押すと、図１８のｂに示すように、瞬間的に発熱するがすぐに放熱するので、つぼ刺激が可能であるが、比較的広範囲に治療を加えることができない。また、連続的に温熱刺激を与えることができない。また、特許文献２に記載の如き低周波治療器では、図１８のａに示すように、連続的に温熱刺激を与えることができるが、目標温度Ｔ１  まで加熱するのに時間がかかる上、最高温度Ｔ１  も４１〜４２°Ｃと高く、連続的に加熱するので、低温火傷を負いやすいという問題がある。
【０００６】
この発明は上記問題点に着目してなされたものであって、低温火傷を負いにくくし、それでいて十分な治療のための刺激を得ることのできる電気温熱式治療器を提供することを目的とている。
【０００７】
【課題を解決するための手段】
この発明の電気温熱式治療器は、通電により発熱する素子を備えた導子を生体局部に配置し、前記素子に通電することにより、生体に刺激を与える電気温熱式治療器において、所定温度まで急速に加熱し、その後温熱治療を継続するように、前記素子への通電を制御する通電制御手段を備えている。
【０００８】
この発明の電気温熱式治療器では、従来の温熱式低周波治療器においては、図４の（ａ）に示すように、目標Ｔ１  に達する立ち上がり時間を大としているのに対し、図４の（ｂ）に示すように、目標温度Ｔ２  に達するまでの立ち上がり時間を非常に小さくしている。加熱速度は１°Ｃ／１５秒〜１°Ｃ／０．５秒としている。そのため、目標温度Ｔ２  （３８〜４１°Ｃ）を従来の目標温度Ｔ１  より小さくできる。
【０００９】
この発明の電気温熱式治療器において、前記通電制御手段は、図５に示すように、前記素子への急速加熱（図５のＡ）の後に、急速な放熱（図５のＢ）を行う通電制御を行うことができる。
【００１０】
また、この発明の電気温熱式治療器において、前記通電制御手段は、前記急速加熱と放熱とを、図５に示すように、複数回にわたり繰り返すように通電制御すると良い。
【００１１】
また、この発明の電気温熱式治療器は、前記急速加熱と放熱の繰り返しのステップにより、図６のＣに示すように、加熱到達温度に変化を持たせるようにしても良い。
【００１２】
また、この発明の電気温熱式治療器において、前記急速加熱と放熱の繰り返しのステップにより、図６のＤに示すように、加熱及びもしくは放熱時間に変化を持たせるようにしても良い。
【００１３】
また、この発明の電気温熱式治療器において、前記素子は発熱とともに冷却機能も有し、前記加熱後の放熱は、冷却を含むものであることもできる。この冷却機能を有することにより、加熱後の放熱をより急速に行うことができ、その分、温度変化による、より大きな刺激を与えることができる。
【００１４】
【発明の実施の形態】
以下、実施の形態により、この発明をさらに詳細に説明する。図１は、この発明の一実施形態である低周波治療器の回路構成を示すブロック図である。この実施形態低周波治療器は、ＡＣ電源１と、ＤＣジャック２と、電池３と、保護ダイオード４と、電源回路５と、ＭＰＵ６と、昇圧回路７と、低周波出力回路８と、ヒータ部電源回路９と、ヒータ出力回路１０と、ヒータ制御回路１１と、出力ジャック１２と、表示器１３と、減電圧検出回路１４と、入力電圧検出回路１５と、電源スイッチ１６と、モード選択スイッチ１７と、温熱スイッチ１８と、ＬＥＤ１９と、出力検知回路２０とを備えている。
【００１５】
ＡＣ電源１は、商用交流電圧１００Ｖを１２Ｖの低直流電圧に変換するＡＣアダプタであり、ＤＣジャック２にプラグが挿着されると、その１２Ｖの直流電圧を電源回路５に入力する。電池３の直流電圧が逆流防止ダイオード４を介して、電源回路５に入力する。ＡＣ電源１のプラグがＤＣジャック２に装着されていないときに、この電池３が装置の電源として使用される。電源回路５は、定電圧回路であり、その出力電圧はＭＰＵ６、昇圧回路７、その他の回路に電源電圧を供給している。
【００１６】
ＭＰＵ６は、予め記憶されるプログラムとモード選択スイッチ１７の操作に応答して、低周波治療及び若しくは温熱治療のための種々の処理制御を実行する。昇圧回路７は、ＭＰＵ６からの信号を受け、電源回路５からの電源電圧を昇圧し、低周波出力回路８に昇圧電圧を電源電圧として供給する。
【００１７】
低周波出力回路８は、ＭＰＵ６からの治療モードに応じたパルス信号を受け、このパルス信号に応じた波形の昇圧パルス（高圧パルス）を出力する。この高圧パルスは出力ジャック１２を介して、図３に示す導子２１ａ、２１ｂの電極２２ａ、２２ｂに印加し、生体を通して低周波治療電流を流す。
【００１８】
ヒータ部電源回路９は、定電圧回路であり、ＡＣ電源１より、ＤＣジャック２を経て出力される交／直変換電圧を安定化し、ヒータ用の電源を得る。ヒータ出力回路１０は、ＭＰＵ６よりのヒータオン信号を受けて、ヒータ部電源回路９よりのヒータ用電源を、出力ジャック１２に供給する。ヒータ制御回路１１もＭＰＵ６からヒータオン信号を受けると、ヒータ出力回路１０から、出力ジャック１２、導子２１ａ、２１ｂのヒータ２３ａ、２３ｂへの通電をオンする。出力ジャック１２は導子２１ａ、２１ｂのプラグ２４が装着されると、低周波出力回路８の出力パルスが印加可能なように、導子２１ａ、２１ｂ内の電極２２ａ、２２ｂを、低周波出力回路８に接続する。また、同じくプラグ２４が出力ジャック１２に装着されると、導子２１ａ、２１ｂ内のヒータ２３ａ、２３ｂをヒータ制御回路１１に、通電可能なように接続する。
【００１９】
導子２１ａには、図３に示すように、低周波信号印加用の電極２２ａと、この電極２２ａに積層されるヒータ２３ａが内蔵されている。また、導子２１ｂには、同じく低周波信号印加用の電極２２ｂと、この電極２２ｂに積層されるヒータ２３ｂが内蔵されている。プラグ２４内の端子ａには、リード線２４ａにより、電極２２ａが接続され、端子ｄには、リード線２５ｄにより、電極２２ｂが接続されている。ヒータ２３ａと２３ｂは並列に接続され、この並列接続の一方端がリード線２５ｂにより端子ｂに接続され、他方端がリード線２５ｃにより端子ｃに接続されている。プラグ２４が出力ジャック１２に挿着されると、出力ジャック１２内で端子ａと端子ｄが低周波出力回路８に接続され、端子ｂと端子ｃがヒータ制御回路１１に接続される。
【００２０】
減電圧検出回路１４は、電池３の電圧低下を検出し、電圧低下が検出されると、その旨を表示器１３に表示する。入力電圧検出回路１５は、ＤＣジャック２にＡＣアダプタが接続され、電源回路５の出力側電圧が大となると、その旨を検出し、ＭＰＵ６にＡＣアダプタが接続されたことを示す信号を入力する。
【００２１】
電源スイッチ１６は、操作されるとＭＰＵ６、その他の回路への電源供給を可能とし、動作可能状態とさせる。モード選択スイッチ１７は、部位スイッチ、もみ方別スイッチ、こだわりモードスイッチ、ソフトスイッチ、繰り返しスイッチなどのモード選択スイッチを総称的に示したものである。部位スイッチは、肩、腕、腰、関節、足裏、ふくらはぎ、の治療部位を選択する。もみ方別スイッチは、たたく、もむ、おす、のもみ方の１つを選択できる。こだわりスイッチは、症状に合わせて５ＨＺ、３００ＨＺ、１２００ＨＺの周波数から、より効果的な周波数を選択する。ソフトスイッチは、ぴりぴり感が少ないソフトな刺激で気持ち良くほぐす治療モードを選択する。繰り返しスイッチは、部位モードを選んだときにのみ使用でき、好みの刺激の繰り返しを選択する。
【００２２】
温熱スイッチ１８は「温熱モード」と「あったかモード」を選択するときに操作する。電源ＯＮの状態で、温熱スイッチ１８を操作すると「温熱モード」となり、温熱治療に入る。また、低周波治療中に、この温熱スイッチ１８を操作すると「あったかモード」となり、温熱治療と低周波治療の交互の実行となる。温熱スイッチ１８を操作すると消灯中のＬＥＤ１９が点灯する。温熱スイッチ１８の操作毎に、ＬＥＤ１９が点灯と消灯を繰り返す。ＬＥＤ１９が点灯していると、温熱治療中であることを示している。
【００２３】
出力検知回路２０は、導子２１ａ、２１ｂが生体に装着された場合に、その装着を検知する。低周波治療とは別に、低周波出力回路８より、適宜なタイミングに低周波信号を出力し、この低周波信号が電極２２ａ、生体、電極２２ｂを通して流れるのを検知し、導子２１ａ、２１ｂの生体への装着を検知する。この信号が検知されないと、導子２１ａ、２１ｂが生体から外れたことを検知したことになる。図２は、実施形態低周波治療器の外観を示す図であた、装置本体３０にＡＣアダプタ（ＡＣ電源）１と、導子２１ａ、２１ｂが接続されている。
【００２４】
次に、この実施形態低周波治療器において、温熱スイッチ１８を押下して「あったかモード」で治療を行う場合のヒータ制御、及び低周波信号制御について、図７の波形図を参照して説明する。先ず、図７の（ｃ）に示すように、低周波出力回路８より、低周波群パルスが出力され、低周波治療がなされている状態で、温熱スイッチ１８を操作する。
【００２５】
この温熱スイッチ１８の操作に応答して、図７の（ｃ）に示すように、低周波信号群パルスの印加がＯＦＦするとともに、図７の（ｂ）に示すように、ヒータがＯＮし、このヒータＯＮ状態を４０秒間とし、続いて、次の６０秒間をヒータＯＦＦ、低周波信号群パルス印加とする。更に以後は、３０秒間のヒータＯＮと低周波信号群パルスＯＦＦと、次に続く６０秒間のヒータＯＦＦ、低周波信号群パルスＯＮを１セットし、そのセットの繰り返しとなる。
【００２６】
このようなヒータと低周波信号群パルスの交互のＯＮ／ＯＦＦの繰り返し制御により、導子の温度は、図７の（ａ）に示すように、最初のステップで４０秒間の温度上昇、その後６０秒間の減少、以後は各ステップで３０秒間の温度上昇、６０秒間の減少を繰り返すことになる。
【００２７】
各ステップでは、図７の（ａ）に示す温度変化を得るために、図８に示す更に細かい通電制御を行う。最初の加熱期間は、全通電期間ＨＦＰと、パルス通電期間ＨＰＰからなり、更に保温期間であるパルス通電期間ＨＰＫ、低周波出力期間であるヒータ通電ＯＦＦ期間ＬＦＥＰと続く。
【００２８】
このような温度制御を行うために、ヒータのＯＮ／ＯＦＦ制御の通電パターンの制御テーブルを図９に示している。ここでは、実施形態１から実施形態４までの通電パターンがテーブル化されて格納されており、治療ステップ数は、温熱治療と低周波治療の１セットを１ステップとする全治療時間のステップ数である。実施形態１の更に具体的なヒータのＯＮ（パルス幅）、ＯＦＦ（休止期間）の時間を示すテーブルを図１０に示している。図９、図１０に示すテーブルはＭＰＵ６のメモリに格納されており、オペレータが実施形態１を選択すると、図１０に示すテーブル内容にしたがって、ＭＰＵ６より低周波及びヒータ制御信号が出力され、治療動作が実行される。
【００２９】
次に、図１１に示すフロー図を参照して、この実施形態低周波治療器の「あったかモード」における処理動作を説明する。先ず、ステップＳＴ１において、電源スイッチ１６を押下し、電源がＯＮされる。次に、ステップＳＴ２へ移行する。ステップＳＴ２においては、治療時間制限タイマの動作を開始する。この治療時間制限タイマは、図示していないが、ＭＰＵ６に内蔵している。ここでは、１５分タイマがスタートする。続いて、ステップＳＴ３へ移行する。
【００３０】
ステップＳＴ３においては、低周波治療中に温熱スイッチ１８を操作して「あったかモード」を選択する。次に、ステップＳＴ４へ移行する。ステップＳＴ４においては、モードカウンタに所定モードをセットする。ここで所定モードとは、図９に示す形態１〜形態４のうち、オペレータが選択したモードである。例えば、形態１であると、その旨（カウント値１）をモードカウンタにセットする。続いて、ステップＳＴ５へ移行する。
【００３１】
ステップＳＴ５においては、治療サイクルカウンタｙを１にセットする。治療サイクルカウンタｙは「あったかモード」の治療を開始してから、温熱治療と低周波治療を１セットとする治療を何回実行したかをカウントする。例えば、図５に示す形態１では、１０セットを実行するので、治療終了までに１０までをカウントすることになる。続いて、ステップＳＴ６へ移行する。ステップＳＴ６においては、ＨＦＰｘ（ｙ）テーブルに従って通電を行う。形態１の場合は、ｘ＝１であり、最初はｙ＝１なので、図１０に示すテーブルのＨＦＰ１（１）が指定され、パルス幅１秒、休止期間０秒、つまり全通電を３０回（３０秒間）実行する。ヒータ２３ａ、２３ｂへの３０秒間の全通電なので、導子２１ａ、２１ｂの温度は、急上昇して行く。次に、ステップＳＴ７へ移行する。
【００３２】
ステップＳＴ７においては、ＨＰＰｘ（ｙ）テーブルに従って通電を行う。形態１の場合は、ｘ＝１であり、ｙ＝１にセットされているので、図１０に示すテーブルのＨＰＰ１（１）が指定され、パルス幅０．５秒、休止期間０．５秒のパルス出力を１０回（１０秒間）のパルス通電を行う。ＯＮ：ＯＦＦが１：１のパルスが１０秒間通電するので、この期間も加熱により温度上昇が続く。しかし、全通電ではないので、保温に向けての、ゆっくりとした上昇となる。次に、ステップＳＴ８へ移行する。
【００３３】
ステップＳＴ８において、ＨＰＫｘ（ｙ）テーブルに従って通電を行う。形態１の場合はｘ＝１であり、ｙ＝１にセットされているので、図１０に示すテーブルのＨＰＫ１（１）が指定され、パルス幅０．３秒、休止期間０．７秒のパルス出力を１０回（１０秒間）のパルス通電を行う。ＯＮ：ＯＦＦが３：７のパルスが１０秒間通電するので、このパルス通電に入った時点の温度が保持される。続いて、ステップＳＴ９へ移行する。
【００３４】
ステップＳＴ９においては、ＬＦＥＰｘ（ｙ）テーブルに従って低周波治療を行う。同様に、ｘ＝１、ｙ＝１なので、図１０に示すテーブルのＬＦＥＰ１（１）が指定される。このＬＦＥＰ１（１）には、ユーザが選択した低周波治療モードが登録されているので、ヒータ２３ａ、２３ｂへの通電ＯＦＦと登録されている低周波治療モードの治療とが、６０秒間にわたり、実行される。この６０秒間は、ヒータ２３ａ、２３ｂへの通電をＯＦＦしているので、導子２１ａ、２１ｂの温度は下降する。６０秒間の低周波治療が終了すると、ステップＳＴ１０へ移行する。
【００３５】
ステップＳＴ１０においては、１５分経過したか否か判定する。治療時間制限タイマがタイムアップしていないときは、ステップＳＴ５へ移行する。治療開始から１５分が経過して治療時間制限タイマがタイムアップしていると、ここで治療処理を終了する。ｙ＝１、つまり「あったかモード」となって、最初の１セットの経過時点では、治療時間制限タイマがタイムアップしていないと言えるので、処理はステップＳＴ５へ移行する。
【００３６】
ステップＳＴ５において、治療サイクルカウンタｙに１をセット、つまり、更に１カウンタするので、ｙ＝２となる。続いて、ステップＳＴ６へ移行する。ステップＳＴ６においては、ＨＦＰｘ（ｙ）テーブルに従って通電する。形態ｘ＝１でｙ＝２なので、図１０のＰＦＰ１（２）が指定され、パルス幅１秒、休止期間０秒、つまり全通電を２０回（２０秒間）通電する。次に、ステップＳＴ７へ移行する。
【００３７】
ステップＳＴ７においては、ＨＰＰ１（２）テーブルに従って、パルス幅０．５秒、休止期間０．５秒のパルス出力を１０回（１０秒間）のパルス通電を行う。以後、ステップＳＴ８において、ＨＰＫ１（２）テーブルに従って、パルス０．３秒、休止期間０．７秒のパルス通電を１０秒間行う。更に続いて、ステップＳＴ９において、ＬＦＥＰ１（２）テーブルに従って６０秒間の低周波治療を行う。以後も、ステップＳＴ１０において、治療時間制限カイマがタイムアップとなるまで、ステップＳＴ５〜ＳＴ１０の処理を繰り返し、図１０に示すテーブル内容に従ってヒータ通電による温熱治療と、低周波治療を交互に繰り返す。治療時間制限タイマがタイムアップすると、ステップＳＴの如何にかかわらず、そこで治療を終了する。
【００３８】
上記実施形態の説明において、図７の場合、第１のステップで４０秒温熱治療、６０秒の低周波治療であり、その後は、３０秒温熱治療、６０秒の低周波治療は、同一パターンの繰り返しであるが、この形態に代えて、図１２の第２の実施形態のように、各ステップで多段階で温度を変化させ、また温度の上げ下げを任意のものとしても良い。
【００３９】
また、図１３に示す第３の実施形態のように、各ステップで、温度の立ち上がり、つまり加熱速度に変化を付けても良い。
【００４０】
更に、図１４に示す第４の実施形態のように、各ステップで、温度降下速度、つまり冷却速度に変化を付けるようにしても良い。
【００４１】
また、もちろん、図７、図１２、図１３、図１４に示す各パターンを複合して組み合わせても良い。
【００４２】
上記実施形態において、各ステップにおける加熱及び保温期間における加熱速度を、例えば図１５の（ａ）に示すように、変化させ、制御するのに、図１５の（ｂ）に示すように、ヒータを全通電、パルス通電のパルス幅、つまりデューティを変化させているが、図１５の（ｃ）に示すように、パルス幅を変化させるのに代えて、駆動電圧を制御するようにしても良い。
【００４３】
また、上記実施形態において、各ステップの低周波治療期間においては、図１６に示すように、ヒータへの通電を完全に断とし、自然放熱による一定の温度降下としているが、更に降下速度を大きく、温度変化による刺激を大にして治療を上げるために、図１７に示すように、温度効果を冷却により、実現しても良い。この場合は、図２に示すヒータ２３ａ、２３ｂの代わりに、ペルチェ素子を使用し、温熱治療はペルチェ素子に導子２１ａ、２１ｂを介して生体に発熱する方向の電流を流し、加熱及び保温を行う。次に、ペルチェ素子に逆極性の電流を流すことにより、生体に接する側を冷却面とし、全通電による急速冷却で一定の測定温度まで冷やす。次に、一定の保温時間をおいて、再度、ペルチェ素子に正方向の電流を流し、加熱作用により生体を温める。このように、各ステップ毎に加熱と冷却をセットし、各セット毎にこれを繰り返すようにしても良い。
【００４４】
【発明の効果】
この発明によれば、所定温度まで急速に加熱するので、加熱時間を短くでき、急速な温度変化による熱刺激も与えられることにより、従来の加熱の最高温度よりも最高温度を下げても十分な治療効果が得られるので、低温火傷を防止することができる。
【００４５】
また、加熱と放熱を繰り返すことにより、温度を２〜３°Ｃの変化をつけて、温熱治療を続けるので、通常の加温による刺激の他に、温度変化の刺激も与えられ、両刺激の相乗効果により治療効果を上げることができる。
【図面の簡単な説明】
【図１】この発明の一実施形態である低周波治療器の回路構成を示すブロック図である。
【図２】同実施形態低周波治療器の外観概略図を示す平面図である。
【図３】同実施形態低周波治療器の導子を説明するための図である。
【図４】同実施形態低周波治療器の加熱立ち上がり時の温度特性を示す平面図である。
【図５】この発明の電気温熱式治療器の治療中の温度特性を示す平面図である。
【図６】この発明の電気温熱式治療器の治療中の温度特性の他の例を示す平面図である。
【図７】上記実施形態低周波治療器の「あったかモード」における温熱治療と低周波治療及び治療中の温度変化の第１の形態を説明する図である。
【図８】同実施形態低周波治療器の温度変化の形態毎の通電制御テーブルを示す図である。
【図９】温熱治療と低周波治療を１セットとする場合の加熱、保温及び低周波治療期間の通電パターンを説明する図である。
【図１０】同実施形態低周波治療器の図８に示す第１の形態の具体的な通電制御テーブルを示す図である。
【図１１】同実施形態低周波治療器の温熱治療処理を説明する図である。
【図１２】上記実施形態低周波治療器の「あったかモード」における温度変化の第２の形態を示す図である。
【図１３】上記実施形態低周波治療器の「あったかモード」における温度変化の第３の形態を示す図である。
【図１４】上記実施形態低周波治療器の「あったかモード」における温度変化の第４の形態を示す図である。
【図１５】上記実施形態低周波治療器において、加熱及び保温期間における加熱制御方式を説明する図である。
【図１６】同実施形態低周波治療器のヒータの通電制御と温度変化を説明するタイムチャートである。
【図１７】同実施形態低周波治療器のヒータに代えてペルチェ素子を用いた場合のペルシェ素子の通電制御を説明するタイムチャートである。
【図１８】従来の電気治療式治療器と、この発明の電気温熱式治療器の差異を説明するための温度特性図である。
【符号の説明】
１                ＡＣ電源
２                ＤＣジャック
３                電池
４                逆流防止ダイオード
５                電源回路
６                ＭＰＵ
７                昇圧回路
８                低周波出力回路
９                ヒータ電源回路
１０              ヒータ出力回路
１１              ヒータ制御回路
１２              出力ジャック
１３              表示器
１４              減電圧検出回路
１５              入力電圧検出回路
１６              電源スイッチ
１７              モード選択スイッチ
１８              温熱スイッチ
１９              ＬＥＤ
２０              出力検知回路
２１ａ、２１ｂ    導子
２２ａ、２２ｂ    電極
２３ａ、２３ｂ    ヒータ
【図１】
2004173750.tif 000003
【図２】
2004173750.tif 000004
【図３】
2004173750.tif 000005
【図４】
2004173750.tif 000006
【図５】
2004173750.tif 000007
【図６】
2004173750.tif 000008
【図７】
2004173750.tif 000009
【図８】
2004173750.tif 000010
【図９】
2004173750.tif 000011
【図１０】
2004173750.tif 000012
【図１１】
2004173750.tif 000013
【図１２】
2004173750.tif 000014
【図１３】
2004173750.tif 000015
【図１４】
2004173750.tif 000016
【図１５】
2004173750.tif 000017
【図１６】
2004173750.tif 000018
【図１７】
2004173750.tif 000019
【図１８】
2004173750.tif 000020